(57)【特許請求の範囲】
【請求項１】
オーバーベッドテーブルのテーブル部が自在に上昇及び下降するオーバーベッドテーブルにおいて、
該オーバーベッドテーブルの全ての双輪キャスターを１箇所でロック状態、及びロック解除状態に操作する末端操作部を設け、
前記双輪キャスターには車輪ロック機構を設けるとともに、該車輪ロック機構と前記末端操作部とを同軸のワイヤーを接続して前記末端操作部の操作を前記車輪ロック機構に伝達して、前記双輪キャスターのロック状態、及びロック解除状態を操作し、
前記テーブル部の昇降に伴う脚部の伸縮に対応する同軸のワイヤーの弛緩部分を収納するワイヤー収納機構をオーバーベッドテーブルの支柱部か脚部に設けたことを特徴とするオーバーベッドテーブル固定装置。
【請求項２】
前記末端操作部は、オーバーベッドテーブルの少なくとも一方の脚部の高い位置に設けたことを特徴とする請求項１に記載のオーバーベッドテーブル固定装置。
【請求項３】
前記ワイヤーは、前記末端操作部からの１本の操作ワイヤーを４本の分岐ワイヤーに分岐して４個の前記車輪ロック機構に接続し、前記１本の操作ワイヤーのインナーワイヤーによる進退移動を、前記４本の分岐ワイヤーのインナーワイヤーによる進退移動として伝達することを特徴とする請求項１又は請求項２に記載のオーバーベッドテーブル固定装置。
【請求項４】
前記４本のワイヤーのうち、２本のワイヤーは前記末端操作部を配置される脚部とは反対側の脚部に延び、経路中にテーブル部の脚部の伸縮に対応するワイヤー蓄積部を設けてワイヤーの弛緩部分を吸収することを特徴とする請求項３に記載のオーバーベッドテーブル固定装置。
【請求項５】
前記双輪キャスターには車輪ロック機構を設けるとともに、該車輪ロック機構と前記末端操作部とを同軸のワイヤーを接続して前記末端操作部の操作を前記車輪ロック機構に伝達して、双輪キャスターのロック状態、及びロック解除状態を操作することを特徴とする請求項１乃至４に記載のオーバーベッドテーブル固定装置。
【発明の詳細な説明】
【技術分野】
【０００１】
本発明は、病院のベッド等に配置するオーバーベッドテーブルに関し、さらに詳しくは、オーバーベッドテーブルを使用する際に動かないように双輪キャスターをロック状態、或いはロック解除状態にする固定機構に関するものである。
【背景技術】
【０００２】
従来より、病院のベッド等にはオーバーベッドが配置され、このテーブルの脚部は、平行に２本の枠体を配置し、それぞれの枠体の端部に２個或いは３個のロックレバー付きキャスターが設けられ、合計で４乃至５個が配置されているが、この脚部の枠体がベッドの両側を空間に差し入れて配置し、食事等のテーブルとして用いるものである。ところで、通常オーバーベッドテーブルにはキャスターロックが無く、オーバーベッドテーブルのテーブル板に手をついただけでも簡単に動いてしまい、使用者が思わぬ事故を引き起こすことがあった。
そこで、例えば、特許文献１に開示されているように、ストッパー機構も提案されているが、ベッドの両側のそれぞれのキャスターに付属するストッパーをつま先等でそれぞれ操作してオーバーベッドテーブルを固定しロックするものが提案されている。
また、オーバーベッドテーブルにおいては、脚部と脚部がベッドを挟んで離れているため、全てのキャスターを同時にロック又はロック解除する機構は提案されていない。
【先行技術文献】
【特許文献】
【０００３】
【特許文献１】特開２００３−１３５１８２号公報
【発明の概要】
【発明が解決しようとする課題】
【０００４】
ところで、前記特許文献１に開示されるオーバーベッドテーブルのロック機構は、基本的に床での操作が看護師やベッドの使用者にとって苦痛であり、ロックをする際にもかなりの力を必要とし、且つ、ベッドの両側で複数回の操作をしなければならないという煩わしさがあり、特に、忙しい看護師にとっては極めて煩わしい作業であるという問題点があった。
【課題を解決するための手段】
【０００５】
上記の課題を解決するために、請求項１の発明は、オーバーベッドテーブルのテーブル部が自在に上昇及び下降するオーバーベッドテーブルにおいて、該オーバーベッドテーブルの全ての双輪キャスターを１箇所でロック状態、及びロック解除状態に操作する末端操作部を設け、前記双輪キャスターには車輪ロック機構を設けるとともに、該車輪ロック機構と前記末端操作部とを同軸のワイヤーを接続して前記末端操作部の操作を前記車輪ロック機構に伝達して、前記双輪キャスターのロック状態、及びロック解除状態を操作し、前記テーブル部の昇降に伴う脚部の伸縮に対応する同軸のワイヤーの弛緩部分を収納するワイヤー収納機構をオーバーベッドテーブルの支柱部か脚部に設けたことを特徴とするものである。
【０００６】
請求項２の発明は、請求項１に記載のオーバーベッドテーブル固定装置において、前記末端操作部は、オーバーベッドテーブルの少なくとも一方の脚部の高い位置に設けたことを特徴とする。
請求項３の発明は、請求項１又は請求項２に記載のオーバーベッドテーブル固定装置において、前記ワイヤーは、前記末端操作部からの１本の操作ワイヤーを４本の分岐ワイヤーに分岐して４個の前記車輪ロック機構に接続し、前記１本の操作ワイヤーのインナーワイヤーによる進退移動を、前記４本の分岐ワイヤーのインナーワイヤーによる進退移動として伝達することを特徴とする。
請求項４の発明は、請求項３に記載のオーバーベッドテーブル固定装置において、前記４本のワイヤーのうち、２本のワイヤーは前記末端操作部を配置される脚部とは反対側の脚部に延び、ワイヤー経路中にテーブル部の脚部の伸縮に対応するワイヤー蓄積部を設けてワイヤーの弛緩部分を吸収することを特徴とする。
【発明の効果】
【０００７】
請求項１の発明のオーバーベッドテーブル固定装置によれば、テーブル部が昇降するオーバーベッドテーブルにおいても、一カ所で、且つ、一回の操作でオーバーベッドテーブルの全てのキャスターをロック状態及び解除状態にでき、従来のように各キャスター毎にロックをする必要がなく、特に、忙しい看護師や使用者の労力を軽減すことができ、オーバーベッドテーブルの片側が壁等に近接していても、もう反対側から双輪キャスターをロックすることができる。
請求項２の発明のオーバーベッドテーブル固定装置によれば、末端操作部をオーバーベッドテーブルの脚部の高い位置に設けたので、ベッドの使用者が容易に操作することができ、また、看護師にとっても床まで手を伸ばす必要がなく容易に操作することができる。更に、末端操作部がより上位位置にあるので双輪キャスターのロック状態及び解除状態を一目で確認できる。
請求項３の発明のオーバーベッドテーブル固定装置によれば、操作伝達に同軸ワイヤーを用いたので、オーバーベッドテーブル裏面の双輪キャスターの位置を自由に設定でき、また、リンク機構の組み合わせと異なり、構造も簡単で制作費も安価で、部品点数が少ないことから保守も容易になる。
さらに、既存のオーバーベッドテーブルの双輪キャスター部分と末端操作部を取り替えるだけで、オーバーベッドテーブルを強固にロック状態及びロック解除状態にすることができる。
請求項４の発明のオーバーベッドテーブル固定装置によれば、オーバーベッドテーブルのテーブル部を上下動させ脚部を伸縮させても、ワイヤー経路中に脚部の伸縮に対応するワイヤー蓄積部を設けたので、ワイヤーの弛緩部分を吸収することができ、両脚部の双輪キャスターを同時に操作することができる。
【図面の簡単な説明】
【０００８】
【図１】本発明の実施例のオーバーベッドテーブルにおいて、末端操作部の双輪キャスターをロックした状態の外観斜視図、
【図２】本発明の実施例のオーバーベッドテーブルにおいて、末端操作部の双輪キャスターをロック解除した状態の外観斜視図、
【図３】図１のオーバーベッドテーブルにおいて、テーブル部を下降させて、末端操作部の双輪キャスターをロックした状態の外観斜視図、
【図４】実施例のオーバーベッドテーブルにおける脚部の裏面の平面図、
【図５】双輪キャスターのロックを解除した状態の末端操作部の内部機構の正面図、
【図６】図５でのロックした状態の末端操作部の内部機構の正面図、
【図７】図７(ａ)は操作部の外枠と操作部カバーの側面図、図７(ｂ)はその正面図、
【図８】図８(ａ)は操作部カバーの側面図、図８(ｂ)はその上面図、  図８（ｃ）はその正面図、
【図９】図９(ａ)は解除維持機構の側面図、図９(ｂ)はその上面図、
【図１０】図１０(ａ)は解除ボタンの側面図、図１０(ｂ)は、その正面図、図１０(ｃ)は、その底面図、
【図１１】図１の操作伝達機構の全体の構成図、
【図１２】図１１のＡ部の操作ワイヤーの拡大分解図、
【図１３】図１３は、図１１のＢ部の分岐ワイヤーの拡大分解側面図、
【図１４】図１４（ａ）は図１１の分岐盤内部の正面図、図１４(ｂ)は図１４（a）のb−b線での分岐盤に蓋をした状態の断面図、
【図１５】図１５(ａ)は分岐盤内のスライダーの図１４(a)a−a線での断面図、図１５(ｂ)は図１４(a)c−c線での断面図、
【図１６】図１６(a)はワイヤー収納機構の正面図、図１６(b)は側面図、図１６(c)は図１６(b)c−c線での断面図、
【図１７】図１の双輪キャスターの概略の外観斜視図、
【図１８】ロック解除状態の双輪キャスターの内部の図で、図１８(a)はノック部材が上がった双輪キャスターのロック解除の状態の正面透視図、図１８(b)はノック部材その側面透視図、
【図１９】ロック状態の双輪キャスターの内部の図で、図１９(a)はノック部材が下がったロック状態の正面透視図、図１９(b)はノック部材の側面透視図
【図２０】図１８、図１９のロック機構枠体の図で、図２０(a)はその正面図、図２０(b)はその側面図、
【図２１】同上ロック機構枠体の蓋部材の図で、図２１(a)はその正面図、図２１(b)はその側面図、
【図２２】リンクアームの図で、図２２(ａ)は正面図、図２２(ｂ)は側面図、図２２(ｃ)は上面図、
【図２３】キャスター取付金具、リンクアームを組み立てた斜視図、
【図２４】車輪歯噛合ロック部の斜視図、
【図２５】図１７の双輪キャスターの一方の車輪部の図で、図２５(a)はその正面図、図２５(b)はその側面図である。
【発明を実施するための形態】
【０００９】
本発明は、脚部がベッドを挟んで離れているオーバーベッドテーブルにおいて、全てのキャスターを同時にロック又はロック解除する機構を、ワイヤーケーブルを用いることによって実現した。ここで、本発明の好適なオーバーベッドテーブル固定装置の実施例を図面に沿って説明する。
【実施例１】
【００１０】
(テーブル部分、及び、支柱部分)
先ず、実施例１から説明するが、双輪キャスターのロック状態の図１、双輪キャスターロック解除状態(移動時)の図２、テーブル部１を下降させて双輪キャスターをロック状態の図３に示すように、病院等のベッド上には本発明の実施例１のオーバーベッドテーブル１がベッドＤを挟んで配置され、このオーバーベッドテーブル1は、主に上部のテーブル部１１とこれを支える一対の支柱部１２(２a,１２b)とそれに対応する脚部１３(１３a,１３b)とから構成されている。
テーブル部１１の上面は平坦で水平に保たれ、食事等に使用されるようになっており、このテーブル部１１は１対の支柱部１２で両端支持され、この一対の支柱部１２は、通常、ベッド上に位置するテーブル部１１の高さを調整するため、伸縮自在になっており、高さ調節レバー121によって、支柱部１２の長さを調整している。
支柱部１２は、上部の四角柱のテーブル支持部122と、この支持部122の内側に嵌合しスライドする小径四角柱の基礎部123からなり、高さ調節レバー121によって支持部122への基礎部123の嵌合度合い、つまりテーブル部１１の高さ調整するようになっている。
【００１１】
この基礎部123は、脚部１３に設けられた支柱固定部材131で固定する。この支柱固定部材131は、使用するオーバーベッドテーブル１の各種の支柱部１２の形状に合わせて適宜設計すればよく、通常、多くのオーバーベッドテーブルに適用可能とすることができる。
一対の脚部１３は、図１に示すように、それに対応する支柱部１２(１２a,１２b)とテーブル部１１によって連結され、それぞれキャスター付き枠体132a,132bとから構成され、脚部１２a(図１参照）の枠体132aの両端近傍には双輪キャスター４a,４bが取り付けられ、脚部１２ｂ(図１参照）の枠体132bの両端近傍には双輪キャスター４c,４dが取り付けられ、オーバーベッドテーブル１の移動の際には、双輪キャスター４a〜ｄの全てがロック解除状態となり、ロック状態ではその場所に固定されてオーバーベッドテーブル１が移動や転倒しないような形状をしている。
【００１２】
この脚部１３の底部には、図４に示すように、枠体132a側の末端操作部２からのワイヤー分岐盤32で４つに分岐された分岐ワイヤー33a,33b,33c,33dの内、分岐ワイヤー33a,33bは枠体132aの双輪キャスター4a,4bに接続され、分岐ワイヤー33c,33dが支柱部12aからテーブル部１１を経て反対側の支柱部12bに沿って、枠体132bの双輪キャスター4c、4dに接続されている。
また、脚部13aには、末端操作部２からの４本の分岐ワイヤー33a,33b,33c,33dのワイヤー連通用貫通孔が設けられ、この分岐ワイヤワイヤー33の内の分岐ワイヤー33a,33bは双輪キャスター４a,４bに接続され、残りの分岐ワイヤー33c,33dは、ワイヤー連通用貫通孔134a（図１６(ｃ)参照）からテーブル部１１の裏面から脚部132ｂのワイヤー連通用貫通孔134aに導かれ、双輪キャスター４ｃ,４ｄに接続される。
【００１３】
オーバーベッドテーブル1の一方の枠体132aには、支柱部12aを中心にして、末端操作機構と操作伝達機構とを収納する扁平な収納枠体135と、反対側には後述するワイヤー収納機構35の枠体136が設けられ、収納枠体135の内部には末端操作機構と操作伝達機構が収納され、且つ、収納枠体135の上端平面部1351には末端操作部２が操作し易いように設けられている。また、ワイヤーの収納枠体136には詳細は後述するが、ワイヤー収納機構35が設けられている。
前記末端操作部２により、前記の４個の双輪キャスター4(4a〜4d）を同時にロック状態及び解除状態にすることができ、これを操作することによりオーバーベッドテーブルを固定状態と移動可能状態に切り換えられる。
この末端操作部２は、患者や看護師等が操作し易い位置がよく、床の位置ではなく、多少腰を折れば操作できるように上方に突出して設けられている。勿論、操作し易い上部であればよく、場合によっては、さらに、上方に配置してもよい。
【００１４】
この末端操作部２を操作することにより、詳細には後述するが、インナーワイヤーとアウターワイヤーの同軸ワイヤーを用いた操作伝達機構３を介し、４個の双輪キャスター４のそれぞれの車輪ロック機構５を操作する。この操作用のワイヤーは、自転車等のブレーキワイヤーと同等のもので、芯のインナーワイヤーとこれを被覆し両端を固定するアウターワイヤーからなるもので、大凡、この際に末端操作部２のハンドル部（レバー）を引き挙げることにより、インナーワイヤーを引っ張り双輪キャスター４の車輪ロック機構５のロックを解除し、逆に、ハンドル部を下げて車輪ロック機構５のバネによりロックする。
【００１５】
（キャスターの末端操作部）
以下の操作構造の詳細を説明する。
図１は、末端操作部２で４個の双輪キャスターをロック状態にした外観斜視図で、図２が解除状態にした外観斜視図であるが、この末端操作部２の詳細から説明する。
先ず、４個の双輪キャスターのロックを解除した状態の図２について、その内部機構を示す図５を参照して説明すると、末端操作部２は主にハンドル部21、解除維持機構22、解除ボタン23、操作部カバー24、枠体25から構成されている。
図５において、ハンドル部21は回動軸211を中心に回動胴部212が回動し、回動胴部212の外周一部に凸部213が設けられ、この凸部213が枠体25の胴体収納部251に設けた溝部252の回動規制範囲で規制される。
回動胴部212の回動軸211の近傍の回動する部位には、操作伝達機構３の操作ワイヤー31の操作部側のタイコと呼ばれるインナーワイヤー312の末端部311を係止する係止部214が設けられ、端末部導入溝215に沿って末端部311を係止部214に係止するようにしている。ハンドル部21（正面）には４本の指が挿入できる把持部217が設けられ、図３に示すように、ハンドル部21の把持部217に手をかけ引き上げると、係止部214も上方に回動し操作ワイヤー31の末端部311も引き上げられる。
【００１６】
ハンドル部21が所定位置まで引き上げられると、解除維持機構22のロック部材221（図5参照）の先端部2211(図9参照)が、ハンドル部21の最外周の適所に設けられたロック部材係止孔218に嵌合するように構成され、そのためにロック部材221が枠体25の回動側部216をガイドするガイド壁253に設けた滑動孔254に左右動可能に収納され、また、ロック部材221の後端部2212(図9参照)をバネ収納部255に設けたバネ部材222で常に押圧されている。
したがって、ハンドル部21は、ロック部材221の先端部2211がロック部材係止孔218に嵌合するまで引き上げ、このロック部材係止孔218の嵌合によってこの位置を維持することになる。すなわち、インナーワイヤー312を引っ張った状態を維持することになり、結果として、双輪キャスター４内に設けたノック部材531（図18参照）を押し上げ、ノック部材531に連動した基部544の歯型542をキャスターの内歯車45（図19参照）を引き上げて嵌合を解除して、図１、３の通常状態のロックを解除し、この解除状態を維持することになる。
【００１７】
解除維持機構22は解除ボタン23を係合して設けているが、この解除ボタン23は枠体25の解除ボタン摺動孔256に嵌合し、図９（ａ）（ｂ）に示すように、解除維持機構22のロック部材221の軸方向のほぼ中央には両外周に一対のピン223が設けられる。
図１０（ａ）の側面図、（ｂ）の正面図、（ｃ）の底面図に示すように、解除ボタン23の下部角柱部231はロック部材221が摺動可能に２股部2311になっており、２股部2311には斜めのカム長孔232が設けられ、このカム長孔232にピン223が嵌合しており、棒状のロック部材221の先端2211は後端部2212をバネ部材222で常に押圧されロック部材係止孔218に嵌合して左側（図5参照）に移動すると、解除ボタン23の下部角柱部231の断面は矩形で、これを収納する枠体25に設けられた同じ断面矩形の解除ボタン摺動孔256(図5参照)によって回動は規制され、解除ボタン23の上端操作部233は上昇する。
ここで、双輪キャスター４をロック解除状態にするには、先ず、図５の一点鎖線で示されるように、操作部カバー24を上端平面部1351上で後方(図５右側)に退避させ、末端操作部２のハンドル部21を上方に挙げるが、この状態で、解除ボタン23の先端は突出した状態になる。
なお、解除ボタン23は、解除表示ボタンとして、より効果的に機能させるため、危険状態を喚起するために目立つ色彩、例えば、赤色、緑色とすればよい。
【００１８】
次に、図１の４個の双輪キャスターの車輪をロックした状態について、その内部機構を図６を参照して説明すると、解除ボタン23の上端操作部233を下に押圧すると、カム長孔232のカム面に沿って、ピン223も押圧するバネ部材222に抗して移動し（図６右側方向）、嵌合ロック部材221の先端部2211は後退してハンドル部21のロック部材係止孔218から解除され、ハンドル部21は操作ワイヤー31の末端部311により下方へ引張られる。
この上方への引張力は、キャスター内部の押圧バネ541（図19参照）によりノック部材531が下降し、リンクアーム56（図19参照）、分岐ワイヤー33、及び、操作ワイヤー31を介して生じる。この４個の押圧バネ541による下方へ引っ張る力だけで不足の場合には、図５、図６で点線で示される引張りバネ2161によって助勢してもよく、この引張りバネ2161の一端は枠体25の内部空間の底部に固着され、他端はハンドル部21の底面とに固着されている。
そして、このワイヤー33の引張り力によって、ハンドル部21の上端面219が上端部1351の表面とほぼ同じ水準になり、図１、及び、図３の状態になる。
【００１９】
また、バネの引っ張り力により急激にハンドル部21が戻り、騒音等を生じる場合には、図５、図６で２点鎖線で示されるショックアブソーバー2162によって戻り速度を緩和させてもよく、バネと同様に、このショックアブソーバー2162の一端は枠体25の内部空間の底部に固着され、他端はハンドル部21の適所に固着されている。
ここで、ハンドル部21の上端面219と、解除ボタン23の上端操作部233とが共に下降した状態で、収納枠体135の上端平面部1351の表面とほぼ同じ水準となっているので、後退している操作部カバー24を手前に移動させて、ハンドル部21と解除ボタン23とが操作できないように覆う。
この操作部カバー24の構成と動作を主に図７、図８に沿って説明する。
図７(ａ),(ｂ)の操作部カバー24の図に示すように、枠体25内に前述のハンドル部21、解除維持機構22、解除ボタン23を組み立て、この枠体25に右側面を覆う外枠26と、一部上面と左側面を覆う外枠27とを取付けて完了し、これに操作部カバー24を取り付ける。
外側に位置する右側の外枠26には平行方向に段差261が設けられ、内側に位置する左側の外枠27にも平行方向に段差271が設けられ、操作部カバー24を嵌合する。
【００２０】
図８(ａ)(ｂ)(ｃ)に示すように、操作部カバー24は右側板241、左側板242、上板243、及び、背板244とから構成され、右側板241の下端内側には嵌合突起2411が平行方向に設けられ、同様に、左側板242の下端内側には嵌合突起2421が平行方向に設けられ、この操作部カバー24が多少弾力のある合成樹脂製であることから、先頭箇所で両嵌合突起2411，2421を拡げて、各段差261，271に嵌合する。
操作部カバー24の上板243の移動方向の先端部には矩形の切欠部2431が設けてあり、操作部カバー24でハンドル部21等を覆う際には、この切欠部2431が枠体25の上面先端部に設けた矩形の段差257（図７の左端）に嵌合し、それ以上の移動を規制する。同様に、操作部カバー24の背板244には収納枠体135の上端平面部1351を跨ぐように操作部カバー24、一対の背板部材2441，2442が設けられ、枠体25の後部に当接してそれ以上の移動を規制する。
また、操作部カバー24が後退しすぎて脱落しないように、外枠27の適所にストッパー突部272を設け、操作部カバー24の左側板242の下部の先頭近傍の適所にストッパー係合部2422を設けている。
【００２１】
（操作伝達機構）
操作伝達機構３は、図１１で示すように、芯のインナーワイヤーと同軸で被覆部でもあるアウターワイヤーからロックワイヤーを用いたもので、主に操作ワイヤー31とワイヤー分岐盤32と４本の分岐ワイヤー33とから構成される。
前述した末端操作部２に取付けられる操作ワイヤー31は、その末端部Ａの拡大図の図１２に示すように、芯のインナーワイヤー312、それを覆うアウターワイヤーである被覆部313とからなり、インナーワイヤー312の先端には円柱状の所謂タイコと呼ばれる末端部311が設けられ、被覆部313の先端には取付固定部314が設けられ、インナーワイヤー312が取付固定部314に対して、末端部311が進退可能に構成され、他方の末端部316(図14参照)はワイヤー分岐盤32のスライダー322(図14参照)に接続される。
ワイヤー分岐盤32からの４本の分岐ワイヤー33の内、図１、図１１に示すように、枠体132aの双輪キャスター4a,4bへ繋ぐ分岐ワイヤー33a,33bは短く、枠体132bの双輪キャスター4c,4dへの分岐ワイヤー33c,33dは長く、その１本の図１１での末端部Ｂの拡大図である図１３に示すように、芯のインナーワイヤー332、それを覆う被覆部333からなり、ワイヤー332の先端には中心に係合孔を有する末端部331が設けられ、被覆部333の先端には取付固定部334が設けられ、インナーワイヤー332が取付固定部334に対して、末端部331が進退可能に構成され、他の末端はワイヤー分岐盤32に接続される。
【００２２】
ワイヤー分岐機構の分岐盤は、図１４（ａ）（ｂ）に示すように、操作ワイヤー31と４本の分岐ワイヤー33を接続するもので、図１４(ａ)はワイヤー分岐盤32の蓋321（図１４（ｂ））とった開けた内部の図で、スライダー322が左右移動可能に収納される。ワイヤー分岐盤32の操作ワイヤー31側の側板323に操作ワイヤー31の取付固定部315を取付け、前記スライダー322の操作ワイヤー31側にはワイヤーの末端部316の嵌合部3221が設けられ末端部316を嵌合する。
また、ワイヤー分岐盤32の４本の分岐ワイヤー33側の側板324に分岐ワイヤー33の取付固定部335を取付け、前記スライダー322の分岐ワイヤー33側には４本のワイヤーの末端部336の嵌合部3222が設けられ末端部336を嵌合する。このようにして、操作ワイヤー31の端末部316が引っ張られると、側板323側に移動（図１３：右方向）するが、スライダー322に嵌合される４個の末端部336も一括して側板324から離れるように移動（図１４：右方向）する。
【００２３】
図１５(a)の図１４(a)でのａ−ａ線断面図、図１５(b)の図１４(a)でのｃ−ｃ線断面図に示すように、このスライダー322は４本のインナーワイヤーの末端部336の移動距離が同じでなければ、正確に４個の双輪キャスターをロックすることができない。このため、スライダー322の上面の移動方向に平行な山部3223が複数設けられ、図１４(ｂ)の蓋321を嵌め込んだ側面図に示すように、山部3223を左右方向に案内する案内溝3211を蓋321に設けて、正確にスライダー322がワイヤー軸線に対して平行移動するようにしている。勿論、この逆に、平行な山部を蓋321に設け、対応する案内溝をスライダーに設けてもよい。なお、蓋321の嵌合側面には固定凸部3212はワイヤー分岐盤32の内壁に挿入固定するためのものである。
したがって、スライダー322をインナーワイヤー312，332の前進後退方向と平行に移動させるための平行進退移動手段として、ワイヤー分岐盤32の内側の両側壁は勿論こと、これだけでは、平行移動には不十分であるので、スライダー322の上面には平行な山部3223が複数設けられ、蓋321側にも山部3223を左右方向に案内する案内溝3211が設けられている。
【００２４】
このように、操作ワイヤー31の進退移動がワイヤー分岐盤32を介して４本の分岐ワイヤー33に伝達される。なお、４本の分岐ワイヤー33及び取付固定部335は分岐盤32内では並列にしているが、これは、分岐盤32をオーバーベッドテーブル１の側面で、脚部13から上方に突出する収納枠体135内に固定するので、支柱部12が伸縮しても、操作ワイヤー31の長さには影響しない。
また、操作伝達に同軸ワイヤーを用いたので、図２に示すように、オーバーベッドテーブル１の脚部１３の４個の双輪キャスター４の位置を自由に設定でき、また、リンク機構の組み合わせや、前掲特許文献１のようなオーバーベッドテーブル全体を浮かせるための接地部材とは異なり、構造も簡単で制作費も安価で、保守も容易になる。更に、１本の操作ワイヤー31を４本に分岐して用いているので、極めて簡単な構成で４個のキャスターを同時に正確にロック状態及びロック解除状態にでき、ワイヤー分岐機構の高さを低く薄くできるので、オーバーベッドテーブル１の側面の薄い収納枠体135内に末端操作部２と一緒に収納することができる。
言い換えれば、末端の収納枠体135の上部の上端平面部1351の末端操作部２からの１本の操作ワイヤー31を４本の分岐ワイヤー33に分岐して４個の車輪ロック機構であるキャスター操作機構に接続し、１本の操作ワイヤー31のインナーワイヤー312の前進／後退を４本の分岐ワイヤー33のインナーワイヤー332の前進／後退に伝達している。この１本の操作ワイヤー31を４本の分岐ワイヤー33に分岐するためにワイヤー分岐機構としてワイヤー分岐盤32を設け、ワイヤー分岐盤32には４本の端末部331を並列にして固定するスライダー322を設けて、スライダー322をインナーワイヤー312，332の前進後退方向と正確に平行に移動させている。
【００２５】
（ワイヤー収納機構)
ところで、図１の状態のオーバーベッドテーブル１のテーブル部１１を図３の状態のように下降させようとすると、分岐ワイヤー33の内の２本の分岐ワイヤー33c,33dの一部は、テーブル部１１と脚部13,13a,13bとに固定されているので、テーブル部１１と支柱部12,12a,12bと脚部13,13a,13bの間で大きく弛緩する。すなわち、ワイヤー収納機構35をオーバーベッドテーブルの支柱部12,12a,12bか脚部部13,13a,13bかに設けることが必要である。
具体的には、支柱部12,12a,12bと脚部13,13a,13bの間にワイヤー収納機構35を設けて、この弛緩した分岐ワイヤー33c,33dを外側のはみ出ないように収納する。
ワイヤー収納機構35は、図１６に示すように扁平の枠体136に設けたもので、枠体136の外面は両側に一対の扁平枠部351a,bが設けられ、ワイヤー33を案内する収納長孔353が脚部１３の長さ方向に延び、支柱部12の側部に沿って設けられた収納長孔353が設けられ、扁平枠部351a,bの内部は弛緩するワイヤー33c,33dを収納する内部空間収納部352が設けられいる。
したがって、図１の状態では、分岐ワイヤー33c,33dは弛緩していないので、Ａの状態で収納をする必要がないが、テーブル部１１が下降するに伴いＢの状態となり、前記内部空間収納部352の奥部は湾曲部352aが設けられ、この湾曲部352aに沿って、収納長孔353からスムーズに弛緩した分岐ワイヤー33c,33dが収納できるようになっており、図３の状態に対応して、弛緩する分岐ワイヤー33c,33dを収納して貯留する。
【００２６】
（双輪キャスターの配置）
前述した図４は、オーバーベッドテーブル1の脚部１３の裏面の平面図で、ベッドＤの側部の枠体132aの両端に一対の双輪キャスター4（4a，4b）、同様にベッドの反対側の枠体132bの両端に一対の双輪キャスター4（4c，4d）が取付けられている。
これらの双輪キャスター４の外観概略は、図１７に示すようなもので、この構成の詳細は後述するが、キャスター操作機構である車輪ロック機構５の枠体51の両側に一対の車輪41A、41Bがそれぞれ回転可能に軸支されており、ロック機構枠体51の上面には、キャスター4が取付枠に対して旋回可能に軸支するための旋回支持部52が設けられ、旋回支持部52の軸心Ｘと同軸に、上下動するノック部材531が設けられており、ノック部材531を押圧バネ541により押し下げられると双輪キャスター４がロックされ車輪は回転することができない。逆に、ノック部材531の押込下げを解除して上方に押し上げると、双輪キャスター４の内歯車45への歯部542が離反しロックが解除され、双輪が自由に回転することができる。
ところで、本実施例で使用する双輪キャスター4（4a，4b，4c，4d）は、双輪の巾が単輪よりも広いので、単輪キャスターに比べて走行安定性があり、また、双輪の回転をロックすると進行方向は勿論のこと、双輪の巾が広いことから旋回阻止できる。特に、本実施例のように４本の双輪キャスター4（4a，4b，4c，4d）での各双輪の回転をロックすると、前後左右の移動や旋回がロックされ、１箇所の双輪キャスターの固定では不十分である場合もあるが、オーバーベッドテーブル1のキャスター4は前面の２個所でもオーバーベッドテーブルはほぼ固定され、３個所であるとより確実に固定され、全部のキャスターである４箇所のキャスターをロックした場合は確実にオーバーベッドテーブル1が所定の位置に固定される。
したがって、本実施例のように、４箇所のキャスターをロックしようとした場合は、仮に、４箇所のうち一箇所のキャスターのロック機構が不完全、或いは、破損した場合でも、オーバーベッドテーブルを確実に固定及び解除できる。  
【００２７】
（キャスター部）
本実施例のキャスターは、図１７でも説明したように、ロック機構枠体51を挟んで、５cm程度の間隔を持った車輪41A,41Bの双輪キャスターであり、移動時には走行は単輪キャスターに比べて走行安定性がある。また、車輪41A,41Bの両車輪（双輪）がロックすると走行が出来なくなり、キャスターの旋回も制限されて、更に、本実施例のように、オーバーベットテーブル１の脚部13aの両端の２箇所の双輪キャスター4a,4b、及び、脚部13ｂの２箇所の双輪キャスター4c,4dの４個の車輪の全てが固定されると、キャスター自体の旋回を固定しなくても、車輪の固定によってオーバーベットテーブル１はほぼ完全に固定されることを見出し、この知見を基礎とするものである。
上記の車輪ロック機構５を、図１８乃至図２１に沿って更に詳しく説明する。
図１８は、把持部217(図２参照)を上げて、ノック部53が上方に上がってロックを解除した状態の図、で双輪キャスター４のロックが解除されたフリーな状態の図で、図１８(ａ)は車輪ロック機構５の横断面図で、図１８(ｂ)は図１８(ａ)のａ−ａ線での断面図である。
また、図１９は、把持部217(図１、図３を参照)を下げて、ノック部53がキャスター内部のバネ541により歯部542が下がった状態の図、即ち、双輪キャスター４がロック状態の図で、図１９(ａ)は車輪ロック機構５の横断面図で図１９(ｂ)は図１９(ａ)のａ−ａ線での断面図である。
【００２８】
図１８(a)(ｂ)に示すように、車輪ロック機構５の枠体51内には、キャスター取付金具55に対して双輪キャスター４が旋回可能なように旋回支持部52が軸支され、旋回支持部52の内側に上下動するノック部53が設けられ、ノック部53に続いて車輪歯噛合ロック部54がバネ541を介して連結され、逆に、図１９(a)に示すように、車輪歯噛合ロック部54はノック部53のノック部材531が押圧された場合に、歯部542が車輪部41の内側の内歯車45に嵌合して、車輪41A,41Bの回転を阻止する。
ここで、各部の構成を更に詳細に説明するが、先ず、枠体51はプラスチックで成型されたもので、図２０及び図２１に示すように、中心に車輪軸受部511が設けられ、図１８（a）の枠体51の左側には、旋回支持部52（ノック部53）（図18参照）を挿入する円筒型の取付筒孔512と収納部513が配置され、取付筒孔512のキャスター取付金具55に近接する部分は双輪キャスター４の旋回をスムーズにするためにオイレスベアリング525，526等が設けられるが、これらに埃等の付着を避けるため突出輪（カバー部）514が設けられ、車輪軸受部511の下側には上下動する車輪歯噛合ロック部54及びバネ541を収納する収納部515が配置されている。
また、収納部513の下部開放口には、図２１（a）（b）に示すような蓋部材516を設けるが、これは組み立て作業で、旋回支持部52にオイレスベアリング525、526、及び、旋回補助ワッシャー522を挿入し、これを枠体51の取付筒孔512に旋回支持部52を挿入した後に、旋回支持部52の下端に設けれた止め金具（スナップリング）用の固定円周溝523aに、旋回支持部を固定するためスナップリング523を係止する時の作業するためものでもある。
更に、ノック部53のノック部材531の下端部に車輪歯噛合ロック部54の基部544を一対のフランジ付ベアリング537で回転自在にし取り付けるが、固定縁533とワッシャー538とボルト535（図18（a））で、一対のフランジ付ベアリング537のベアリング内輪を外れないように取り付けた後に蓋をする構成で、上方に爪部516a(図20・21)が設けられ、下方にヒンジ部516bが設けられ、ヒンジ部516bを収納部513の下部の装着溝513bに装着し、相互のピン孔516cと513ｃにピン517を挿入して、ピン517を回動中心とした蓋を構成する。
そして、車輪歯噛合ロック部54をノック部材531にボルト535で固定する作業を終えた後に、爪部516aを収納部513の外周側の下部嵌合孔513aに嵌合して蓋をする。
【００２９】
(旋回支持部及びノック部)
次に、図２０での取付孔筒512と収納部513に装着する旋回支持部52とノック部材531について説明する。
図１８，１９に示すように、旋回支持部52は金属製の円筒(パイプ)で、旋回支持部52の上部先端は予め外周方向に広がった取付縁部521が形成され、ワッシャー522を挿入しベアリング525を設けて、取付縁部521をキャスター取付金具55の取付孔551に回動自在に係合される。そして下からノック部材531を挿入した後、最後に収納部513の内側に出た後端を外側から軸用スナップリング523を嵌め込んで、枠体51をキャスター取付金具55に対して、旋回支持部52を中心に回動自在に取り付ける。
旋回支持部52は、キャスターの旋回軸を構成するとともに、ノック部53を収納するが、このノック部53について図１８、１９に沿って説明するが、ノック部53は、ノック部材531、上端近傍のリンク用ピン孔532、下端近傍の固定縁533、ネジ部534、及び、ボルト535から構成される。
ノック部53のリンク用ピン孔532にはピン568が嵌合し、このピン568は、後述する分岐ワイヤー33により操作されるリンクアーム56のアーム566のカム孔を構成するピン長孔567（図２２）に移動可能に嵌合される。更に、このノック部53は下端には固定縁533、ネジ部534が設けられ、このネジ部534に車輪歯噛合ロック部54を挿入してボルト535で固定縁533に車輪歯噛合ロック部54を締め付け強固に固定する。
【００３０】
（車輪部及び車輪歯噛合ロック部）
基部544は、図１８、１９に示すように、基部544の断面二段形状(Ｚ形状)の下段の歯型基部543が二股に構成され、図２４に示すように、車輪歯噛合ロック部54は両側に歯型部543とその下端面に３本の下向きに一対の歯部542が設けられ、歯型基部543の上面546（図24参照）のほぼ中央部にはバネ係合部545には下側に押圧するバネ541が設けられ、常に下方に押し下げる構成になっている。
したがって、車輪歯噛合ロック部54の歯型基部543は、常に、歯型基部543の上面に設けられたバネ541によって下側に押圧され下降するようになっており、オーバーベットテーブルをベッド上や近傍に配置しておく通常の場合は、歯型基部543の両脇の下面に設けられた歯部542はバネ541によって各双輪キャスター４の内歯車45に嵌合して、双輪キャスター4の回転を阻止し、ロック状態になりオーバーベットテーブルの移動を不可能にしている。なお、車輪歯噛合ロック部54の上下動は、枠体51に設けた車輪歯噛合ロック部54の収納部の側壁51a（図２０・２５参照）が案内部を構成しており、側壁51aに沿って降下・上昇する。
一方、双輪キャスター４の片方の車輪部41(41A,41B)は、図２５に示すように、車輪軸42は、枠体51の車輪軸受部511に回転自在に軸支され、車輪部41車輪軸固定部43に固定される(車輪軸固定部43は、車輪を回転自在に軸支する構成でもよい。)。車輪部41の外輪44はゴム製で振動を吸収し走行を滑らかにし雑音を軽減するとともに、床へのグリップを強くしている。
また、双輪キャスター４の車輪部41の内側の外輪近傍には、車輪軸に同心の内歯車45が形成され、車輪軸固定部43が下降した際には、内歯車45に歯部542が噛み合い車輪部41の回転を阻止する。
なお、車輪歯噛合ロック部54の３本の歯部542の歯の高さy1、y2、y3は負荷が集中しないように同じ高さにしている。
【００３１】
（キャスター取付金具とリンクアーム）
図１８、１９におけるキャスター取付金具55とリンクアーム56について、図２２及び図２３に沿って、更に詳細に説明する。
末端操作部２のハンドル部21を上方に挙げる操作によって、操作ワイヤー31が引っ張られ、ワイヤー分岐盤32によって４本の分岐ワイヤー33も引っ張られる。更に、この各分岐ワイヤーのインナーワイヤー332も引っ張られるが、これをノック部53の動きに変換するのがキャスター取付金具55に装着されたリンクアーム56である。
図２２に示すように、リンクアーム56は回転軸561を中心にして回動するＬ字形の２のアームで、片方のアーム562の先端近傍にはインナーワイヤー332の末端部331(図13参照)を係止する係止部563が設けられ、この係止部563はインナーワイヤー332と末端部331を係止するための横溝564と縦溝565が設けられる。他方のアーム566は二股で、その二股の間にノック部材531の先端が回動自在に嵌合され、ノック部材531の先端近傍にはノック部材531の先端のリンク用ピン孔532に対応するピン長孔567が設けられ、このピン長孔567とノック部材531のリンク用ピン孔532とにピン568で貫通する。
このリンクアーム56はキャスター取付金具55に取り付けられるが、キャスター取付孔551を底部552に設けたキャスター取付金具55は、オーバーベッドテーブル１の脚部13（13a,13b）の裏面に固定するために固定部553が両端に設けられ、リンクアーム56の回転軸561が両側板554の端軸受部555に軸支され、分岐ワイヤー33の取付固定部334(図13)を取付孔556に取付ける。必要であれば、４本の双輪キャスターでの回転取付固定部334に対応する調整板558を設けて、末端部331との間隔をボルト557により調整するようにしてもよく、通常は調整板558ではなく適正に設定した固定板としている。
【００３２】
(キャスターのロック及びロック解除の作動)
本実施例のオーバーベッドテーブル１を固定する末端操作装置は、以上のような構成であるので次のように作動する。
[双輪キャスターのロック状態]
これは、オーバーベットテーブル１のテーブル部１１をベッド上に配置した通常の状態で、ハンドル部21と解除ボタン23とが共に下方に位置し、これらが操作カバー24に覆われ、末端操作部の収納枠体135の上端平面部1351とほぼ同等の高さにあり、操作ワイヤー31は結果的キャスター内のバネ541によって歯部542をキャスターの内歯車45に嵌合させるとともに、バネ541にノック部材531も押されて、分岐ワイヤー33によって引っ張られた状態にある。この場合の状態は長時間に亘るが、ハンドル部21を常に引っ張る状態に維持する必要がないので、各ワイヤーは緊張状態にはなく、経年で伸びるようなことがなく、装置の保守も容易になる。
[双輪キャスターのロック解除状態]
この場合には、オーバーベットテーブル１を移動する状態で、操作カバー24を後退させ、ハンドル部21を挙げて解除ボタン23を突出させ、操作ワイヤー31を引っ張り上げて緊張状態にし、分岐ワイヤー33によってノック部材531を上方に引っ張り、結果的キャスター内のバネ541に抗し、歯部542をキャスターの内歯車45から開放する。したがって、ハンドル部21を挙げている状態では、双輪キャスターのロック解除状態にあり、オーバーベットテーブル１を押せば簡単に移動可能となる。
【００３３】
本実施例は以上の説明したような構成であるので、オーバーベッドテーブル１の脚部１３に設けた末端操作部２の上面のハンドル部21の一箇所を一回持ち上げる操作でオーバーベッドテーブル１の４個の双輪キャスター４をロック状態及びロック解除状態にでき、簡単にオーバーベッドテーブル１を固定及び解除でき、ハンドル部21を上方に引き上げて突出するようにしたので、通常の押圧する操作と異なり、誤って、キャスターのロック状態及び解除状態とすることがなく、かつ、従来のようにペダルを上にあげる操作や直接上に引っ張る操作が無く、無理のない操作でオーバーベッドテーブル１のキャスターを固定及び解除できる。また、解除維持機構22の解除ボタン23を操作しなければならないこと、操作カバー24を設けることにより、誤って使用者である患者や付き添い人などが双輪キャスターのロック解除の操作を行ってしまうということもない。
【００３４】
また、操作カバー24が操作部を覆っている場合には双輪キャスターがロック状態にあることになり、安心して、オーバーベッドテーブル1に配置することができ、双輪キャスターが解除されている危険な状態では、ハンドル部21が突出した状態にあるので、オーバーベッドテーブル１から離れていても双輪キャスター４の解除状態を一目で確認でき、オーバーベッドテーブル１が移動可能な不安定な状態であることを、注意喚起することができる。
また、危険表示としてハンドルに加えて、解除ボタンをキャスターの解除状態を表示する機能とすることで、二重の危険防止表示となる。
更に、操作部をオーバーベッドテーブル1の末端操作部２の上面に設けたことで、上方位置の高さになり床面の双輪キャスター４を固定する際に看護師等が中腰になり床へ手を伸ばす必要もなく操作できる。
【００３５】
更に、ワイヤーを用いた操作伝達機構としたので、リンク機構の組み合わせと異なり、構造も簡単で制作費も安価で、部品点数が少ないこといから保守も容易になり、１本の操作ワイヤーを４本に分岐して用いているので、極めて簡単な構成で４個のキャスターを同時に正確にロック状態及び解除状態にでき、ワイヤ分岐機構の高さも小さく薄くできるので、末端操作部も薄くすることができる。
また、ワイヤーを用いた操作伝達機構であるので、従来のオーバーベッドテーブル１のテーブル上下動機構とは独立して配置することができるので、従来のオーバーベッドテーブルも簡単に改造することができる。
【００３６】
なお、本発明の特徴を損なうものでなければ、上記の各実施例に限定されるものでないことは勿論である。例えば、末端操作部２を一方の脚部に設けたが、両方の脚部に設けてもよい。
【符号の説明】
【００３７】
Ｄ・・ベッド
１・・オーバーベッドテーブル、１１・・テーブル部、
12,12a,12b・・支柱部、121・・高さ調節レバー、122・・テーブル支持部、
123・・基礎部
13（13a,13b）・・脚部、131・・支柱固定部材、
132a,132b ・・キャスター付き枠体(取付枠体)、
134a,134b・・ワイヤー連通用貫通孔
135・・末端操作部の収納枠体、1351・・上端平面部、
136・・ワイヤー収納機構の枠体 
２・・末端操作部、
21・・ハンドル部、211・・回動軸、212・・回動胴部、
213・・凸部、214・・係止部、
215・・端末部導入溝、216・・回動側部、2161・・引張りバネ、
2162・・ショックアブソーバー、
217・・把持部、218・・ロック部材係止孔、219・・上端面、
22・・解除維持機構、221・・ロック部材、2211・・先端部、
2212・・後端部、222・・バネ部材、223・・ピン、
23・・解除ボタン、231・・下部角柱部、2311・・２股部、
232・・カム長孔、233・・上端操作部、
24・・操作部カバー、241・・右側板、2411，2421・・嵌合突起、
2422・・ストッパー係合部、242・・左側板、
243・・上板、2431・・切欠部、244・・背板、2441，2442・・背板部材、
25・・枠体、251・・胴体収納部、252・・溝部、253・・ガイド壁、
254・・滑動孔、255・・バネ収納部、256・・解除ボタン摺動孔、
257・・段差、26，27・・外枠、261，271・・段差、272・・ストッパー突部、
３・・操作伝達機構、31・・操作ワイヤー、
311，316，331，336・・末端部、312，332・・インナーワイヤー、
313，333・・被覆部（アウターワイヤー）、
314，315，334，335・・取付固定部、
32・・ワイヤー分岐盤、321・・蓋、3211・・案内溝、3212・・固定凸部、
322・・スライダー、3221，3222・・嵌合部、3223・・山部、
323，324・・側板、33(33a,33b,33c,33d)・・分岐ワイヤー、
35・・ワイヤー収納機構、351a,b・・扁平枠部、352・・内部空間収納部、
352a・・湾曲部、353・・収納長孔、
４，4a，4b，4c，4d・・双輪キャスター、
41・・車輪部、41A,41B・・車輪、
42・・車輪軸、43・・車輪軸固定部、44・・外輪、45・・内歯車、
５・・車輪ロック機構、
51・・ロック機構枠体、51a・・側壁、511・・車輪軸受部、512・・取付筒孔、
513,515・・収納部、513a・・嵌合孔、513b・・装着溝、513c・・ピン孔、
514・・突出輪、516・・蓋部材、516a・・爪部、516b・・ヒンジ部、
516c・・ピン孔、517・・ピン、
52・・旋回支持部、521・・取付縁部（カシメ部）、522・・旋回補助ワッシャー、
523・・止め金具（固定スナップリング）、
523a・・スナップリング用の固定円周溝、
525，526・・オイレスベアリング(ベアリング)、
53・・ノック部、531・・ノック部材、
532・・リンク用ピン孔、533・・固定縁、535・・ネジ部、536・・ボルト、
537・・フランジ付ベアリング、538・・ワッシャー、
54・・車輪歯噛合ロック部、541・・バネ、542・・歯部、543・・歯型基部、
544・・基部、545・・バネ係合部、546・・歯型基部上面、547・・嵌合孔、
55・・キャスター取付金具、551・・取付孔、552・・底部、553・・固定部、
554・・両側板、555・・端軸受部、557・・ボルト、558・・調整板
56・・リンクアーム、561・・回転軸、562・・アーム、
563・・係止部、564・・横溝、565・・縦溝、
566・・アーム、567・・ピン長孔、568・・ピン、
【図１】
0005522999.tif 000002
【図２】
0005522999.tif 000003
【図３】
0005522999.tif 000004
【図４】
0005522999.tif 000005
【図５】
0005522999.tif 000006
【図６】
0005522999.tif 000007
【図７】
0005522999.tif 000008
【図８】
0005522999.tif 000009
【図９】
0005522999.tif 000010
【図１０】
0005522999.tif 000011
【図１１】
0005522999.tif 000012
【図１２】
0005522999.tif 000013
【図１３】
0005522999.tif 000014
【図１４】
0005522999.tif 000015
【図１５】
0005522999.tif 000016
【図１６】
0005522999.tif 000017
【図１７】
0005522999.tif 000018
【図１８】
0005522999.tif 000019
【図１９】
0005522999.tif 000020
【図２０】
0005522999.tif 000021
【図２１】
0005522999.tif 000022
【図２２】
0005522999.tif 000023
【図２３】
0005522999.tif 000024
【図２４】
0005522999.tif 000025
【図２５】
0005522999.tif 000026